【事件の表示】
　特許第２８３０７４６号「燃焼装置］の請求項１ないし３に係る特許に対する特許異議の申立てについて、次のとおり決定する。
【結論】
　訂正を認める。
　特許第２８３０７４６号の請求項１ないし３に係る特許を維持する。
【理由】
（１）手続きの経緯
　本件特許第２８３０７４６号は、平成６年７月２８日に出願されたもので、平成１０年９月２５日に設定登録がなされ、その後、特許異議の申立てがなされ、取消理由が通知され、指定期間内に訂正請求がなされたものである。
（２）訂正の適否についての判断
ア）本件訂正請求
　平成１１年１０月２６日付訂正請求の要旨は、特許明細書を添付した訂正明細書のとおりに訂正しようとするものであり、各請求項を次のとおり訂正し、併せて発明の詳細な説明の該当する個所を訂正しようとするものである。
　【請求項１】燃料を貯蔵するタンクと、このタンクから燃料を吸引する電磁ポンプと、前記電磁ポンプによって供給されてくる燃料を気化する気化器と、前記気化器に配設し気化されたガスを噴出するノズルと、前記ノズルに離れて対向する位置に配設するとともに、入口を大径、途中より小径としたスロート形状の入口部を有し、演出された気化ガスのエジエクタ効果により１次空気を吸引しながら混合する混合管と、前記混合管の混合ガス噴出口を覆うように外周に配設し混合管からの混合ガスを折り返し混合管外周下方へ流しかつその下方周壁に設けた多数の炎孔から混合ガスを噴出させて燃焼するバーナ部とを備え、上記混合管とバーナ部とは別体構成にするとともに、混合管とバーナ部の間の混合ガスが混合管とバーナ部の下端外周の重ね部より漏れて下方に流れないように、混合管とバーナ部の下端にそれぞれ平面部を有する重ね部を設け、かつ混合管の下端外周をバーナ部下端外周の一部あるいは全周より大きくするか、あるいは下方から覆うようにフランジを立設した燃焼装置。
　【請求項２】燃料を貯蔵するタンクと、このタンクから燃料を吸引する電磁ポンプと、前記電磁ポンプによって供給されてくる燃料を気化する気化器と、前記気化器に配設し気化されたガスを噴出するノズルと、前記ノズルに離れて対向する位置に配設するとともに、入口を大径、途中より小径としたスロート形状の入口部を有し、噴出された気化ガスのエジェクタ効果により１次空気を吸引しながら混合する混合管と、前記浪合管の混合ガス噴出口を覆うように外周に配設し混合管からの混合ガスを折り返し混合管外周下方へ流しかつその下方周壁に設けた多数の炎孔から混合ガスを噴出させて燃焼するバーナ部とを備え、上記混合管とバーナ部とは別体構成にするとともに、混合管とバーナ部の下端にそれぞれ平面部を有する重ね部を設け、かつ混合管の下端外周とバーナ部下端外周の一部あるいは全周を溶接やカシメなどの固定手段で固定してなる燃焼装置。
　【請求項３】上記混合管の下端外周とバーナ部下端外周は、この重ね部分から混合管とバーナ部との間の混合ガスが漏れて流出しないように、その一部あるいは全周を巻きカシメするかシーム溶接して固定してなる請求項２記載の燃焼装置。
　即ち
ｉ）混合管が「入口を大径、途中より小径としたスロート形状の入口部を有し」
ｉｉ）「混合管とバーナ部の下端にそれぞれ平面部を有する重ね部を設け」を挿入するものである。
イ）この訂正は、特許請求の範囲の各請求項の混合管とバーナの形を限定し、混合管とバーナの取付け状態を明確にするものであり、特許請求の範囲の減縮に該当する。
ウ）この訂正は、願書に添付した図面　図１〜図３に記載されていたことによるものであり、実質上特許請求の範囲を拡張または変更するものではない。
エ）独立特許の要件
（ｉ）取消理由により引用した刊行物
刊行物１実願昭６２−１２２７２２号（実開昭６４−３１３１９号）のマイクロフィルム
刊行物２特開昭６２−２２５８０７号公報
（ｉｉ）刊行物記載事項
　刊行物１には、「液体燃料を気化させる気化室と、この気化室で気化された燃料ガスを噴出する噴出ノズルと、この噴出ノズルから噴出される気化燃料と外部空気とを混合室に導くスロートと、前記混合室内に導かれた気化燃料を燃焼させるバーナヘッドとを備え、前記バーナヘッドはスロート出口を覆うように取り付けられ、かつスロート出口と対向する部位に膨出部を有することを特徴とする液体燃料燃焼装置」（１頁５行〜１３行）、「図において、１は燃料タンク、２は給油ポンプ、３は給油パイプ、４は気化室、５は給油口、６はノズル、７はノズル孔、８は電磁ソレノイド、９は戻しパイプ、１０は連通孔、１１はスロート、１２は覆板、１３はバーナヘッド、１３ａは混合室、１３ｂは炎孔面、１３ｃは取付面、１４はスロート出口、１５はヒータ、１６は温度センサー、１７はニ一ドル、１８はスロート入口、２０は取付ネジである。上記燃料タンク１の上面には給油ポンプ２が取り付けられ、給油ポンプ２には給油パイプ３の一端が接続されている。この給油パイプ３の他端は気化室４内に突出させられた給油口５に接続されている。ノズル６はその一端にスロート入口１８と対向するようにノズル孔７を有し、他端には戻しパイプ９の一端が固着されている。戻しパイプ９の他端は電磁ソレノイド８に連接され、電磁ソレノイド８はニ一ドル１７を駆動することによってノズル孔７を開閉する。上記ノズル６は連通孔１０によって気化室４と連通され、スロート１１は気化室４のほぼ中央を貫通するように設けられ中空部によって構成され、その上端と下端は解放されている。覆板１２は気化室４の上部に溶接等の手段により固着される。バーナヘッド１３は覆板１２の上部に取付面１３ｃが取付ネジ２０により取り付けられスロート出口１４を覆い、混合室１３ａを形成するとともに、炎孔面１３ｂを有している」（２頁３行〜３頁１２行）と記載されており、バーナヘッド１３の下部外周が、覆板１２の外周立ち上がり部の内側に位置し、覆板１２はスロートの上面に筒状部を連続させて位置し、覆板のスロート出口にバーナヘッド１３の膨出部１３ｄが位置している点が図示されており、スロート１１と覆板１２の中央部のスロート出口までは気化油と空気が共存して上昇するものであるから、混合部の一部であると認められる。
　刊行物２には、「バーナ本体２は断面半円弧形のバーナ底体１２と、断面略半円弧状のバーナ上体１３と、該バーナ底体１２とバーナ上体１３とを仕切る仕切板１４とから成り、バーナ上体１３の下端外周フランジ１５により前記バーナ底板１２および仕切り板１４の外端部がかしめられて一体的に固定されたものである」（２頁左上欄７行〜１３行）と記載されていて、混合室を形成するバーナ底体と、仕切板の外端部がバーナ上体の下端外周フランジによりかしめられている点が図示されている。
（ｉｉｉ）訂正しようとする請求項１、請求項２，及び請求項３に係る各発明と刊行物１記載事項との対比
　刊行物１には、各請求項に係る発明の、混合管が「ノズルに離れて対向する位置に配置するとともに、位置口を大径、途中より小径としたスロート形状の入口部を有する」点、「混合管とバーナ部の下端にそれぞれ平面部を有する重ね部を設け」てある点は、記載されていなくまた示唆もされていない。
　また、刊行物２には、公知のかしめ技術が記載されているだけで、上記点については記載も示唆もされていない。
（オ）したがって、訂正しようとする各請求項に係る発明は、刊行物１、刊行物２に記載された事項から容易に発明ができるものではなく、各請求項に係る発明は、独立して特許を受けることができるものである。
（カ）以上のとおりであるから、この訂正請求は、特許法１２０条の４第２項及び第３項で準用する同法第１２６条第２項〜第４項の規定に適合するので、当該訂正を認める。
（３）特許異議の申立てについて
（ｉ）本件各請求項に係る発明は、前記訂正されたものである。
（ｉｉ）特許異議申立人は、
甲第１号証として前記刊行物１
甲第２号証として実願昭５６−４７１２１号（実開昭５７−１５７８０１）のマイクロフィルム甲第３号証として前記刊行物２
甲第４号証として実公昭５３−４７２２１号公報
を提示して、各請求項に係る発明がこれらの刊行物から容易に発明をすることができた旨主張している。
（ｉｉｉ）各甲証の記載内容
　甲第１号証（刊行物１）、甲第３号証（刊行物２）には前記した点が記載されている。
　甲第２号証には、「下タンク１１を上タンク１５と接合固着するには第４図のように上タンク５の材質をしたタンク１１と同質材として両者の外周縁をシーム溶接して接合固着してもよく、第５図のように上タンク１５の材質を内、外両面共に厚膜の溶融亜鉛皮膜を施した材料にて成型後、両者の外周縁を巻締め閉め加工にて固着すれば一層の能率よく、また耐蝕性も向上するものである。」と記載されている。
　甲第４号証には、「８は上記混合室１と燃焼室２との間に設けられた炎口板、９は絞り板，１０は整流板で、第３図のように炎口板８は炎口１１を有し、絞り板９には、この炎口１１より小さい透口１２が設けられている。この炎口板８と絞り板９との間には多数の小孔を有する逆火防止板１３と複数枚の金１４とが設けられ、上記整流胎１０は金鋼１４面と所定間隔を有するように中央部が絞り板９の透口１２を通して凸出され、その周縁が絞り板９と金鋼１４との間に介挿されている。また炎口板８の周縁部は折り返されて絞り板９の周縁を挟み込んでおり、これによってこれら炎口板、逆火防止板、金鋼、整流板およびれ整流板が一体的にされている。」と記載されている。
（ｉｖ）しかしながら、前記各甲号証には、各請求項に係る発明の
混合管が「入口を大径、途中より小径としたスロート形状の入口部を有し」
「混合管とバーナ部の下端にそれぞれ平面部を有する重ね部を設け」た点に関しては記載も示唆もされていない。
　そして各請求項に係る発明は、この点において特許明細書に記載された効果を奏するものであるから、前記各甲号証に記載された事項から容易に発明をすることができたものとすることはできない。
（３）したがって、特許異議申立人の主張は採用できない。
　また、他に前記各請求項に係る特許を取り消すべき理由を発見しない。
　よって、結論のとおり決定する。
【異議決定日】
平成１１年１２月２０日（１９９９．１２．２０）
【訂正の要旨】
　本件訂正請求の要旨は、特許２８３０７４６号の明細書を、本件訂正請求書に添付した訂正明細書のとおりに訂正しようとするもので、その訂正の内容は下記（１）〜（８）のとおりである。
（１）特許請求の範囲請求項１の「前記ノズルに離れて対向する位置に配設し噴出された気化ガスのエジェクタ効果により１次空気を吸引しながら混ずる混合管」及び「重ね部より漏れて下方に流れないように、混合管の下端外周をバーナ部下端外周の一部あるいは全周より大きくするか」を
「前記ノズルに離れて対向する位置に配設するとともに、入口を大径、途中より小径としたスロート形状の入口部を有し、噴出された気化ガスのエジェクタ効果により１次空気を吸引しながら混合する混合管」及び「重ね部より漏れて下方に流れないように、混合管とバーナ部の下端にそれぞれ平面部を有する重ね部を設け、かつ混合管の下端外周をバーナ部下端外周の一部あるいは全周より大きくするか」と訂正する。
（２）特許請求の範囲請求項２の「前記ノズルに離れて対向する位置に配設し噴出された気化ガスのエジェクタ効果により１次空気を吸引しながら混合する混合管」及び「上記混合管とバーナ部とは別体構成にするとともに、混合管の下端外周とバーナ部下端外周の一部あるいは全周を溶接やカシメなどの固定手段で固定してなる」を
「前記ノズルに離れて対向する位置に配設するとともに、入口を大径、途中より小径としたスロート形状の入口部を有し、噴出された気化ガスのエジェクタ効果により１次空気を吸引しながら混合する混合管」及び「上記混合管とバーナ部とは別体構成にするとともに、混合管とバーナ部の下端にそれぞれ平面部を有する重ね部を設け、かつ混合管の下端外周とハーナ部下端外周の一部あるいは全周を溶接やカシメなどの固定手段で固定してなる」に訂正する。
（３）発明の詳細な説明　段落【０００９】を
「【課題を解決するための手段】
　本発明は上記第１の目的を達成するため、燃料を貯蔵するタンクと、このタンクから燃料を吸引する電磁ポンプと、前記電磁ポンプによって供給されてくる燃料を気化する気化器と、前記気化器に配設し気化されたガスを噴出するノズルと、前記ノズルに離れて対向する位置に配設するとともに、入口を大径、途中より小径としたスロート形状の入口部を有し、噴出された気化ガスのエジェクタ効果により１次空気を吸引しながら混合する混合管と、前記混合管の混合ガス噴出口を覆うように外周に配設し混合管からの混合ガスを折り返し混合管外周下方へ流しかつその下方周壁に設けた多数の炎孔から混合ガスを噴出させて燃焼するバーナ部とを備え、上記混合管とバーナ部とは別体構成にするとともに、混合管とバーナ部の間の混合ガスが混合管とバーナ部の下端外周の重ね部より漏れて下方に流れないように、混合管とバーナ部の下端にそれぞれ平面部を有する重ね部を設け、かつ混合管の下端外周をバーナ部下端外周の一部あるいは全周より大きくするか、あるいは下方から覆うようにフランジを上に立てた構成としてある。」と訂正する。
（４）同段落【００１０】を
「また第２の目的を達成するため、上記混合管とバーナ部とは別体構成にするとともに、混合管とバーナ部の下端にそれぞれ平面部を有する重ね部を設け、かつ混合管の下端外周とバーナ部下端外周の一部あるいは全周を溶接やカシメなどの固定手段で固定した構成としてある。」と訂正する。
（５）同段落【００１２】を
「【作用】
　本発明は上記第１の構成によって、混合管とバーナ部の下端にそれぞれ平面部を有する重ね部を設けるとともに、混合管の下端外周をバーナ部下端外周の一部あるいは全周より大きくするか、あるいは下方から覆うようにフランジを上に立ててあるため、混合管より噴出した混合ガスが混合管とバーナ部の下端外周の重ね部より漏れて下方に流れないようになり、その部分で燃焼したりして黄火やスス，ＣＯ、臭気などの発生を防止することができる。」と訂正する。
（６）同段落【００１３】を
「また第２の構成によって、混合管とバーナ部の下端にそれぞれ平面部を有する重ね部を設けるとともに、混合管とバーナ部の下端外周は一体化しているため、メンテなどで燃焼部の分解・組立をしたときに、混合管を付け忘れて組み立てるのを防止することができ、ノズルから噴出した気化ガスがバーナ部に反射されて下方に流れ逆火して気化器やその周囲を熱で侵したり、黄火・ススなどの発生の異常燃焼の危険感を防止することができる。」と訂正する。
（７）段落【００２９】を
「【発明の効果】
　以上説明したように本発明の第１の構成によれば、混合管とバーナ部の下端にそれぞれ平面部を有する重ね部を設けるとともに、混合管の下端外周をバーナ部下端外周の一部あるいは全周より大きくするか、あるいは下方から覆うようにフランジを上に立ててあるため、混合管より噴出した混合ガスが混合管とバーナ部端外周の重ね部より漏れて下方に流れないようになり、その部分で燃焼したりして黄火やスス、ＣＯ、臭気などの発生を防止することができ、簡単な構成でした燃焼を得ることができる。」と訂正する。
（８）同段落【００３０】を
「また第２の構成によれば、混合管とバーナ部の下端にそれぞれ平面部を有する重ね部を設けるとともに、混合管とバーナ部の下端外周は一体化しているため、メンテなどで燃焼部の分解・組立をしたときに、混合管を付け忘れて組み立てるのを防止することがてき、ノズルから噴出した気化ガスがバーナ部に反射されて下方に流れ逆火して気化器やその周囲を熱で侵したり、黄火・ススなどの発生の異常燃焼などの危険感を防止することができ、簡単な構成で安定した燃焼を得るができる。」と訂正する。
（５４）【発明の名称】
燃焼装置
（５７）【特許請求の範囲】
　【請求項１】　燃料を貯蔵するタンクと、このタンクから燃料を吸引する電磁ポンプと、前記電磁ポンプによって供給されてくる燃料を気化する気化器と、前記気化器に配設し気化されたガスを噴出するノズルと、前記ノズルに離れて対向する位置に配設
するとともに、入口を大径、途中より小径としたスロート形状の入口部を有し、
混合管とバーナ部の下端にそれそれ平面部を有する重ね部を設け、かつ
　【請求項２】燃料を貯蔵するタンクと、このタンクから燃料を吸引する電磁ポンプと、前記電磁ポンプによって供給されてくる燃料を気化する気化器と、前記気化器に配設し気化されたガスを噴出するノズルと、前記ノズルに離れて対向する位置に配設
するとともに、入口を大径、途中より小径としたスロート形状の入口部を有し、
混合管とバーナ部の下端にそれぞれ平面部を有する重ね部を設け、かつ
　【請求項３】上記混合管の下端外周とバーナ部下端外周は、この重ね部分から混合管とバーナ部との間の混合カスが漏れて流出しないように、その一部あるいは全周を巻きカシメするかシーム溶接して固定してなる請求項２記載の燃焼装置。
【発明の詳細な説明】
　【０００１】
　【産業上の利用分野】
　本発明は燃料を気化噴出して燃焼させる燃焼装置に関するものである。
　【０００２】
　【従来の技術】
　従来、この種の燃焼装置は、図５に示すように、タンク３１にカートリッジタンク３２から燃料が供給され、同タンク３１の燃料はポンプ３３によって気化器３４に供給され、ここで気化されてノズル３５より水平方向に噴出される。そしてこのノズル３５から噴出された燃料は、エジェクタ効果により一次空気を吸引しながら気化器３４の下流側に離れて設けた混合管３６内で混合されて、混合管３６と一体形成されたライン形状のバーナ部３７に供給され、そこで燃焼される。生じた燃焼ガスは、バーナ部３７の周囲を覆うように配設された燃焼筒３８で上方へ導かれ、上記燃焼筒３８を覆ったダクト３９で送風機４０からの室内空気流と混合され、温風として排出されて暖房に利用される。そして、この燃焼装置はポンプ３３の駆動周波数や印加電圧を変えて燃料供給量を調節すると、一次空気量もそれにつれて増減し、燃料と空気の比が一定に保たれたまま燃焼量を変えることができるようになっている。
　【０００３】
　【発明が解決しようとする課題】
　しかしながらこのような構成の燃焼装置は、バーナ部３７は横長のライン形状となるため、火炎が左右均一になりがたく、どうしても両端の燃焼が乱れやすい傾向があり、そして燃焼炎が真上に吹き出されるため、流れを抑えることが難しくリフト燃焼を生じやすい欠点もあった。また、経年的にも、ライン形状であるため温度の不均一によって、バーナ部３７が変形もしやすい欠点があった。さらに、気化器３４と離れて、混合管３６、バーナ部３７を配設するため、バーナ部３７の熱を気化器３４が回収する構成が取り難い問題や、バーナ部３７が横長であるため、機器の寸法も横長になる問題もあった。
　【０００４】
　従来この問題を解決するために、図６に示すような燃焼装置が提案されている。すなわち、気化器４１で気化されたガスをノズル４２より垂直方向に噴出して、このノズル４２から噴出された気化ガスを、気化器４１とは別体の混合管４３内で、エジェクタ効果により吸引される一次空気と混合して、混合管４３の噴出開口より噴出させる。そしてこの混合ガスは混合管４３から折り返し混合管４３外周下方へ流れ、バーナ部４４の下方周壁に設けた多数の炎孔４５から噴出し燃焼する。
　【０００５】
　このような構成の燃焼装置では、混合管４３外周を混合ガスが折り返し流れて、バーナ部４４の下方周壁に設けた多数の炎孔４５から均一に噴出して燃焼するため火炎が均一になり、かつ燃焼炎が外周方向に噴出されるため、燃焼炎が上方に流れるようにバーナリンク４６などで流れ方向を制御するようなもので簡単にリフト炎を抑えることができるようになる。
　【０００６】
　しかしながら、混合管４３とバーナ部４４が別体構成であるため、混合管４３より噴出した混合カスが混合管４３とバーナ部４４の下端外周の重ね部より漏れて下方に流れたりすると、そこの部分で燃焼したりして黄火やスス、ＣＯ、臭気を発生する課題があった。
　【０００７】
　また、メンテなどで燃焼部の分解・組立をしたときに、混合管４３を付け忘れて組み立てると、ノズル４２から噴出した気化ガスがバーナ部４４に反射されて下方に流れ逆火して気化器やその周囲を熱で侵したり、黄火・ススなとの発生などの異常燃焼を生じ、危険感があるなどの課題があった。
　【０００８】
　本発明は上記課題を解決するもので、混合ガスの漏れ防止を第１の目的とし、更に混合管の組立て忘れの防止を第２の目的とし、そして混合ガスの洩れ防止と混合管の組立忘れ防止の同時達成を第３の目的としたものである。
　【０００９】
　【課題を解決するための手段】
　本発明は上記第１の目的を達成するため、燃料を貯蔵するタンクと、このタンクから燃料を吸引する電磁ポンプと、前記電磁ポンプによって供給されてくる燃料を気化する気化器と、前記気化器に配設し気化されたガスを噴出するノズルと、前記ノズルに離れて対向する位置に配設
するとともに、入口を大径、途中より小径としたスロート形状の入口部を有し、
混合管とバーナ部の下端にそれぞれ平面部を有する重ね部を設け、かつ
　【００１０】
　また第２の目的を達成するため、上記混合管とバーナ部とは別体構成にするとともに、
混合管とバーナ部の下端にそれぞれ平面部を有する重ね部を設け、かつ
　【００１１】
　更に第３の目的を達成するため、上記混合管の下端外周とバーナ部下端外周は、この重ね部分から混合管とバーナ部との間の混合ガスが漏れて流出しないよう、その全周を巻きカシメするかシーム溶接して固定した構成としてある。
　【００１２】
　【作用】
　本発明は上記第１の構成によって、
混合管とバーナ部の下端にそれそれ平面部を有する重ね部を設けるとともに、
　【００１３】
　また第２の構成によって、
混合管とバーナ部の下端にそれぞれ平面部を有する重ね部を設けるとともに、
　【００１４】
　さらに第３の構成によって、混合管とバーナ部の下端外周は一体化すると同時に混合ガスの洩れを同時に防止することができ、黄火やスス、ＣＯ、臭気などの発生とともに異常燃焼などによる危険感をも防止することができる。
　【００１５】
　【実施例】
　以下本発明の実施例について添付図面に基づいて説明する。
　【００１６】
　図１〜図４において、１は本体ケースで、その下方側部に液体燃料を保有するタンク２とそのタンク２上部に着脱自在にカートリッジタンク３が配設してある。４はタンク２の上面に配設したポンプで、その上端から送油パイプ５が気化器６に接続されている。気化器６には、気化器６の温度を検知するサーミスタなどの温度検出手段７と、気化器温度検出手段７からの出力に基づいて気化器６を所定温度に保つヒータ８と、供給された燃料を効率よく気化させる気化素子９と、気化ガスを噴出するノスル１０と、上面が平面な座面を形成するバーナ座１１と、バーナ座１１の固囲に立てた受熱フランジ１２を有する。
　【００１７】
　１３はバーナ座１１に蔵置されノズル１０上方に配設された入り口がスロート形状の混合管で、ノズル１０から噴出された気化ガスのエジェクタ効果により１次空気を吸引しながら混合するようになっている。１４は前記混合管１３を覆いかつバーナ座１１に重ねて載置したバーナ部で、混合管１３からの混合ガスを折り返し混合管１３外周下方へ流しかつその下方周壁に設けた多数の炎孔１５から混合ガスを噴出させて燃焼炎を形成するようになっている。また、混合管１３とバーナ部１４の間の混合ガスが、混合管１３とバーナ部１４の下端外周の
平面部を有する
　【００１８】
　１８はバ一ナ部１５を覆い燃焼カスを上方へ導く燃焼筒で、その背部に室内空気流を取入れ排出する送風機１９が配設してある。２０は上記燃焼筒１８を覆い上述の燃焼ガスと室内空気流を混合して温風にするダクトである。２１は前記気化器温度検出手段７からの出力に基づいてヒータ８への通電の制御や、運転条件を設定する操作部２２の信号に基づき、ポンプ４や送風機１９などを予め決められたシーケンスで制御する制御部である。
　【００１９】
　上記した構成において、液体燃料は、カートリッジタンク３から一定油面を保つようにタンク２に供給され、そしてポンプ４によってタンク２から吸い上げられ送油パイプ５を介し気化器６に送られる。送られた燃料はヒータ８で所定温度以上に保たれた気化器６内の気化素子９で気化し高圧蒸気になりノズル１０より噴出され、その際エジェクタ効果により一次空気を吸引しながら気化器６の下流側に設けた混合管１３内で混合されて、バーナ部１４に供給され燃焼される。そして生じた燃焼ガスは、燃焼筒１８の上方へ流れてゆき、ダクト２０内で送風機１９からの室内空気流と混合され、温風として排出されて暖房に利用される。
　【００２０】
　また制御部２１は、操作部２２で設定された条件に基づいてヒータ８、ポンプ４、送風機１９などを予め決められたシーケンスで制御して、運転の開始、停止、また燃焼量の可変等の運転制御する。
　【００２１】
　そして、バーナ部１４での燃焼について説明すると、ノズル１０より噴出された気化ガスは、エジェクタ効果により一次空気を吸引しながら気化器６の下流側に設けた混合管１３内で混合されて混合管１３外周を混合ガスが折り返すよう流れて、バーナ部１４の下方周壁に設けた多数の炎孔１５から均一に噴出し燃焼するため、火炎が均一になり、燃焼炎が外周方向に噴出されるため、燃焼炎が上方に流れるようにバーナリング１７などの流れ方向を制御するようなもので簡単にリフト炎を抑えることができる。また、受熱フランジ１２は、バーナ部１４で形成される燃焼火炎で加熱され、この燃焼火炎からの熱回収作用によって、気化器６の温度か一定温度以上に保たれるためのヒータ８の通電の一部或いは全部が軽減される。
　【００２２】
　ここで、混合管１３の下端外周のフランジ部１６でバーナ部１４下端外周の全周を下方から覆ってあるため、混合管１３より噴出した混合ガスが混合管１３とバーナ部１４の下端外周の重ね部より漏れて下方に流れないようになり、その部分で燃焼したりして黄火やスス、ＣＯ、臭気などの発生を防止することができる。
　【００２３】
　図２はさらに他の発明例を示し、先の実施例で述べた部分と同じ部分は同一番号を付記して説明を省略し、異なる部分のみ説明すると、２３は混合管２４を覆いかつバーナ座１１に重ねて載置したバーナ部で、混合管２４からの混合ガスを折り返し混合管２４外周下方へ流しかつその下方周壁に設けた多数の炎孔２５から混合カスを噴出させて燃焼炎を形成するようになっている。そしてまた、混合管２４とバーナ部２３の下端外周とは、カシメ部２６で一体に固定してある。　【００２４】
　したがってこの構成によれば、混合管１３とバーナ部１４の下端外周の一部あるいは全周はカシメで固定してあるため、メンテなどで燃焼部の分解・組立をしたときに、混合管１３を付け忘れて組み立てるのを防止して、ノズル１０から噴出した気化ガスがバーナ部１４に反射されて下方に流れ逆火して気化器やその周囲を熱で侵したり、萸火・スス発生などの異常燃焼の危険感を防止することができる。
　【００２５】
　図３はさらに他の発明例を示し、先の実施例で述べた部分と同じ部分は同一番号を付記して説明を省略し、異なる部分のみ説明すると、２７は混合管２８を覆いかつバーナ座１１に重ねて載置したバーナ部で、混合管２８からの混合ガスを折り返し混合管２８外周下方へ流しかつその下方周壁に設けた多数の炎孔２９から混合ガスを噴出させて燃焼炎を形成するようになっている。そして混合管２８とバーナ部２７との間の混合ガスが混合管２８とバーナ部２７の下端外周の重ね部より漏れて下方に流れないように、混合管２８の下端外周にバーナ部２７下端外周の全周を覆うように巻きカシメ部３０で固定してある。
　【００２６】
　したがってこの構成によれば、混合管２８の下端外周をバーナ部２７下端外周の全周を覆うように巻きカシメ部３０で固定してあるため、上述のメンテなどで燃焼部の分解・組立をしたときに、混合管２８を付け忘れて組み立てるのを防止するとともに、ノズル１０から噴出した気化ガスがバーナ部２７に反射されて下方に流れ逆火して気化器６やその周囲を熱で侵したり、黄火・スス発生などの異常燃焼の危険感を防止することができる。そして同時に混合管２８より噴出した混合ガスが混合管２８とバーナ部２７の下端外周の重ね部より漏れて下方に流れないようになり、その部分で燃焼したりして黄火やスス、ＣＯ、臭気などの発生を防止することができる。
　【００２７】
　すなわち、均一な燃焼が得られやすい混合管２８外周をバーナ部２７で覆う構成で、バーナ部２７と混合管２８の下端外周からの混合ガスの漏れを防止するとともに、混合管２８の組立て忘れにより生じる危険性を防止して、簡単な構成で安定した燃焼を得ることができるようになる。
　【００２８】
　尚、本発明の実施例は、第１の実施例では混合管１３の下端外周に下方から上に立てたフランジ部１６でバーナ部１４下端外周の全周を覆うようにしたが、これはバーナ部１４の下端外周より混合管１３外周を大きくしてもよく、また第２の構成では混合管２４とバーナ部２３の下端外周とは、カシメ部２６で締結したが、これはスポット溶接してもよく、さらに第３の実施例では混合管２８の下端外周にバーナ部２７下端外周の全周を覆うように巻きカシメ部３０で固定したが、これは混合管２８の下端外周にバーナ部２８下端外周を一部あるいは全周を覆うように、シーム溶接して固定してもよく、本発明の目的・効果を達成するものであれば実施例の構成に限られることなくどのように構成してもよいものである。
　【００２９】
　【発明の効果】
　以上説明したように本発明の第１の構成によれば、
混合管とバーナ部の下端にそれぞれ平面部を有する重ね部を設けるとともに、
　【００３０】
　また第２の構成によれば、
混合管とバーナ部の下端にそれぞれ平面部を有する重ね部を設けるとともに、
　【００３１】
さらに第３の構成によれば、混合管とバーナ部の下端外周は一体化すると同時に混合ガスの洩れを同時に防止することができ、黄火やスス、ＣＯ、臭気などの発生とともに異常燃焼などによる危険感をも防止することができ、簡単な構成で安定した燃焼を得ることができる。
【図面の簡単な説明】
　【図１】
本発明の一実施例における燃焼装置の断面図
　【図２】
同燃焼装置の他の発明例を示す断面図
　【図３】
同燃焼装置の他の発明例を示す断面図
　【図４】
同燃焼装置を用いた温風暖房機の断面図
　【図５】
従来の燃焼装置を用いた温風暖房機の断面図
　【図６】
従来の他の燃焼装置の要部断面図
　【符号の説明】
４　ポンプ
６　気化器
１０　ノズル
１３　混合管
１４　バーナ部
１５　炎孔
１６　フランジ部
２３　バーナ部
２４　混合管
２６　カシメ部
２７　バーナ部
２８　混合管
３０　巻きカシメ部